(57)【特許請求の範囲】
【請求項１】
メータボディに形成されガスを導入するガス流入口及びガスを排出するガス流出口と、前記ガス流入口から前記ガス流出口にかけて延在するストレート形状のガス流路と、前記ガス流路を流れるガスの流量を計測するための流速センサと、前記流速センサにより計測される計測値に基づくガス流量の積算値を表示する表示部とを備えた直管型ガスメータであって、
少なくとも重力方向に応じた信号を出力する加速度センサと、
前記加速度センサからの信号に基づく重力方向に応じて前記表示部に表示される表示情報の向きを制御する表示制御手段と、
前記ガス流路を閉じる遮断弁と、
前記遮断弁が弁閉状態にあるときに所定の操作があった場合に前記遮断弁を開動作させる弁制御手段と、を備え、
前記弁制御手段は、前記遮断弁が弁閉状態にあるときに前記加速度センサによりメータボディに対するノックに相当する加速度が検出された場合、前記所定の操作があったと判断する
ことを特徴とする直管型ガスメータ。
【請求項２】
前記加速度センサは、少なくとも互いに直交する３軸方向に対する加速度を検出するものであって、
前記弁制御手段は、前記加速度センサにより不定周期の加速度が前記３軸方向で検出された場合に、前記遮断弁を閉動作させる
ことを特徴とする請求項１に記載の直管型ガスメータ。
【請求項３】
前記表示部に表示可能な複数の情報を記憶する記憶手段をさらに備え、
前記表示制御手段は、前記記憶手段により記憶される複数の情報から表示する情報を選択して表示させると共に、前記遮断弁が弁閉状態でなく、かつ、情報の表示制御中であるときに前記加速度センサによりメータボディに対するノックに相当する加速度が検出された場合、当該ノック方向に応じて次に表示する情報を選択する
ことを特徴とする請求項１又は請求項２のいずれかに記載の直管型ガスメータ。
【発明の詳細な説明】
【技術分野】
【０００１】
本発明は、直管型ガスメータに関する。
【背景技術】
【０００２】
従来、ガスメータはガスの流入口及び流出口がメータ上部に設けられ、内部にＵ字状の流路が形成された構造となっており、正面中央部にガス流量の積算値を表示する表示部が設けられている（例えば特許文献１参照）。
【先行技術文献】
【特許文献】
【０００３】
【特許文献１】特開２００６−２９２３７７号公報
【発明の概要】
【発明が解決しようとする課題】
【０００４】
ここで、本件出願人は、特許文献１に記載のガスメータを改良し、メータ内部の流路を略直線状に形成した直管型ガスメータを提案している。このような直管型の直管型ガスメータは、縦向きや横向きなど様々な向きで設置可能であるが、正面の表示部については、このような向きそれぞれに対して対応する表示内容とならない可能性がある。
【０００５】
本発明はこのような従来の課題を解決するためになされたものであり、その発明の目的とするところは、取り付け状態に応じて適切な表示を行うことが可能な直管型ガスメータを提供することにある。
【課題を解決するための手段】
【０００６】
本発明の直管型ガスメータは、メータボディに形成されガスを導入するガス流入口及びガスを排出するガス流出口と、前記ガス流入口から前記ガス流出口にかけて延在するストレート形状のガス流路と、前記ガス流路を流れるガスの流量を計測するための流速センサと、前記流速センサにより計測される計測値に基づくガス流量の積算値を表示する表示部とを備えた直管型ガスメータであって、少なくとも重力方向に応じた信号を出力する加速度センサと、前記加速度センサからの信号に基づく重力方向に応じて前記表示部に表示される表示情報の向きを制御する表示制御手段と、を備えることを特徴とする。
【０００７】
この直管型ガスメータによれば、重力方向に応じて表示部に表示される表示情報の向きを制御するため、縦向きに設置されたり横向きに設置されたりしたとしても、表示情報の向きを制御でき、取り付け状態に応じて適切な表示を行うことができる。
【０００８】
さらに、本発明の直管型ガスメータにおいて、前記ガス流路を閉じる遮断弁と、前記遮断弁が弁閉状態にあるときに所定の操作があった場合に前記遮断弁を開動作させる弁制御手段と、をさらに備え、前記弁制御手段は、前記遮断弁が弁閉状態にあるときに前記加速度センサによりメータボディに対するノックに相当する加速度が検出された場合、前記所定の操作があったと判断することを特徴とする。
【０００９】
この直管型ガスメータによれば、遮断弁が弁閉状態にあるときに所定の操作があった場合に遮断弁を開動作させる弁制御手段を備え、メータボディに対するノックに相当する加速度が検出された場合、所定の操作があったと判断する。このため、従来と同様の遮断弁の復帰ボタン（押し込み式の復帰ボタン）を直管型ガスメータに設ける必要がない。特に、押し込み式の復帰ボタンを押す行為については復帰させても良いかについて不安や怖さを感じてしまうユーザがいるが、このようなユーザに対しては不安や怖さの軽減につなげることができる。
【００１０】
また、本発明の直管型ガスメータにおいて、前記表示部に表示可能な複数の情報を記憶する記憶手段をさらに備え、前記表示制御手段は、前記記憶手段により記憶される複数の情報から表示する情報を選択して表示させると共に、前記遮断弁が弁閉状態でなく、かつ、情報の表示制御中であるときに前記加速度センサによりメータボディに対するノックに相当する加速度が検出された場合、当該ノック方向に応じて次に表示する情報を選択することが好ましい。
【００１１】
この直管型ガスメータによれば、記憶される複数の情報から表示する情報を選択して表示させると共に、加速度センサによりメータボディに対するノックに相当する加速度が検出された場合、当該ノック方向に応じて次に表示する情報を選択する。このため、押し込み式の復帰ボタンと比較してノック方向（例えば４方向）に応じたユーザにとって感覚的且つ多彩な情報の選択を行うことができる。
【００１２】
また、本発明の直管型ガスメータにおいて、前記加速度センサは、少なくとも互いに直交する３軸方向に対する加速度を検出するものであって、前記弁制御手段は、前記加速度センサにより不定周期の加速度が前記３軸方向で検出された場合に、前記遮断弁を閉動作させることが好ましい。
【００１３】
この直管型ガスメータによれば、加速度センサは少なくとも３軸方向に対する加速度を検出するものであって、加速度センサにより不定周期の加速度が３軸で検出された場合に、遮断弁を閉動作させるため、表示の適正化及び操作機能を実現するために設置される加速度センサを利用して、更に従来の感震器と同様の地震検知を行うことができる。
【発明の効果】
【００１４】
本発明によれば、取り付け状態に応じて適切な表示を行うことが可能な直管型ガスメータを提供することができる。
【図面の簡単な説明】
【００１５】
【図１】本実施形態に係る直管型ガスメータの外観斜視図である。
【図２】図１に示した直管型ガスメータの制御ブロック図である。
【図３】本実施形態に係る直管型ガスメータの処理内容を示す第１のフローチャートである。
【図４】重力方向の区分を示す直管型ガスメータの正面図である。
【図５】本実施形態に係る直管型ガスメータの処理内容を示す第２のフローチャートである。
【図６】図５に示したステップＳ１７における情報選択の様子を示す概念図である。
【発明を実施するための形態】
【００１６】
以下、本発明を好適な実施形態に沿って説明する。なお、本発明は以下に示す実施形態に限られるものではなく、本発明の趣旨を逸脱しない範囲において適宜変更可能である。また、以下に示す実施形態においては、一部構成の図示や説明を省略している箇所があるが、省略された技術の詳細については、以下に説明する内容と矛盾点が発生しない範囲内において、適宜公知又は周知の技術が適用されていることはいうまでもない。
【００１７】
図１は、本実施形態に係る直管型ガスメータの外観斜視図であり、図２は、図１に示した直管型ガスメータの制御ブロック図である。
【００１８】
図１に示すように、直管型ガスメータ１は、アルミニウムやアルミニウム合金などの金属材料等により成形された筐体であるメータボディ１０を備えている。メータボディ１０は、略四角柱状の外形形状を有しており、四角柱の高さ方向に長手となる直管形状とされている。図１に示す例においてメータボディ１０は、その長手方向が鉛直方向（重力方向）と一致するように設置されている。
【００１９】
メータボディ１０は、その長手方向の一端部１０ａにガスを導入するガス流入口１１と、その長手方向の他端部１０ｂにガスを排出するガス流出口１２とを備えている。ガス流入口１１は、上流側配管２００を介してガス供給元と接続され、ガス流出口１２は、下流側配管２０１を介してガス供給先と接続される。ガス流入口１１と上流側配管２００との接続、及びガス流出口１２と下流側配管２０１との接続には、ワンタッチ操作（すなわち押し込み操作のみ）で連結解除が可能な継手構造１５が利用されている。
【００２０】
メータボディ１０の内部には、ガス流入口１１からガス流出口１２に至る１つのガス流路１３が形成されている。本実施形態において、ガス流路１３は、ガス流入口１１からガス流出口１２にかけて略直線状に延在するストレート形状とされている。
【００２１】
さらに、本実施形態に係る直管型ガスメータ１は、図２に示すように、表示パネル（表示部）２、流速センサ５、圧力センサ６、遮断弁７、通信部８及びマイコン（マイクロコンピュータ）１００を備えている。
【００２２】
表示パネル２は、ＬＣＤ等によって構成され、メータボディ１０の正面部１０ｃに設けられている。表示パネル２は、マイコン１００に制御され、マイコン１００によって処理された情報を表示する。表示パネル２に表示される代表的な情報は、流速センサ５により計測される計測値に基づくガス流量の積算値（積算流量）である。
【００２３】
流速センサ５は、ガスメータ１内部のガス流路１３に設けられている。流速センサ５は、ガス流路１３を通過するガスの流れ（具体的には流速）を計測し、その流速に応じた信号を出力する。流速センサ５から出力される信号は、マイコン１００に入力される。流速センサ５としては、例えば超音波式センサやフローセンサなどを用いることができる。
【００２４】
ここで、本実施形態に係る直管型ガスメータ１は、ガス流路１３が略ストレート状とされていることから、ガス流入口１１、ガス流出口１２、及び、流速センサ５が直線状に並べられる構造となる。
【００２５】
圧力センサ６は、ガスメータ１内部のガス流路１３に設けられている。圧力センサ６は、ガス流路１３内におけるガス圧力を計測し、その圧力に応じた信号を出力する。圧力センサ６から出力される信号は、マイコン１００に入力される。圧力センサ６としては、ピエゾ抵抗式や静電容量式などのセンサを用いることができる。
【００２６】
遮断弁７は、ガスメータ１内部のガス流路１３に設けられており、ガス流路１３を遮断するためのものである。遮断弁７としては、例えばソレノイド弁、モータ弁又はボールバルブを用いることができる。ボールバルブは、貫通流路を有するボール状の弁体を、バルブボディ内に回転自在に備えるものであり、弁軸を中心に弁体を回転させることで、ガスを開放又は遮断する。遮断弁７としてボールバルブを用いることで、遮断弁７自身の小型化を図ることができ、ひいてはメータボディ１０の小型化や圧力損失の低減を図ることができる。
【００２７】
通信部８は、直管型ガスメータ１のマイコン１００が外部機器（設定器、検針用機器やセンターの機器）と通信するためのものである。通信部８は、各種信号が入出力される端子（例えば、電話回線用のＮライン端子、ガス漏れ警報器と接続するため端子、一酸化炭素警報器と接続するための端子など）を備えた端子台や、電波や光を利用した無線式の通信機器などで構成することができる。
【００２８】
マイコン１００は、直管型ガスメータ１の全体の制御を行う制御部である。マイコン１００は、例えば制御基板に実装され、当該制御基板はメータボディ１０の内部に収容されている。
【００２９】
ここで、本実施形態に係る直管型ガスメータ１は、図１に示すように縦向きに設置することができるのみならず、横向きにも設置可能である。しかし、正面部１０ｃの表示パネル２については、このような向きそれぞれに対して対応する表示内容とならない可能性がある。例えば、常にガス流入口１１が上側となる表示が行われてしまい、横向きに設置した場合には数字等が横に倒れた状態で表示されてしまう可能性がある。
【００３０】
そこで、本実施形態に係る直管型ガスメータ１は、更に、加速度センサ９を備えると共に、マイコン１００は、不図示のＲＯＭ内のプログラムを実行することによって、表示制御部（表示制御手段）１０１を機能させる。
【００３１】
加速度センサ９は、少なくとも重力方向に応じた信号を出力するセンサである。より詳細に加速度センサ９は、互いに直交する３軸方向に対する加速度を検出するものであり、現実空間での重力方向に加えて、他方向の加速度に応じた信号についても出力する。加速度センサ９から出力される信号は、マイコン１００に入力される。
【００３２】
表示制御部１０１は、表示パネル２の表示内容を制御するものであって、特に加速度センサ９からの信号に基づく重力方向に応じて表示パネル２に表示される表示情報の向きを制御するものである。すなわち、表示制御部１０１は、直管型ガスメータ１の取り付け姿勢が縦向きか横向きかに拘わらず、表示パネル２に表示される文字や数字の上側が鉛直上方側に向くように、表示情報の向きを制御する。これにより、取り付け姿勢に拘わらず適正な表示状態とすることができる。
【００３３】
さらに、本実施形態に係る直管型ガスメータ１は、遮断弁７の弁閉時に、これを復帰させるための押し込み式の復帰ボタンを備えておらず、加速度センサ９からの信号を利用して遮断弁７を復帰させる構造となっている。
【００３４】
詳細に説明すると、マイコン１００は、不図示のＲＯＭ内のプログラムを実行することによって、弁制御部（弁制御手段）１０２が機能するようになっている。弁制御部１０２は、遮断弁７が弁閉状態にあるときに所定の操作があった場合に遮断弁７を開動作させるものである。本実施形態において弁制御部１０２は、遮断弁７の弁閉時に加速度センサ９によりメータボディ１０に対するノックに相当する加速度が検出された場合、所定の操作があったと判断する。すなわち、遮断弁７を開動作させる。なお、ここでいうノックとは、メータボディ１０を破損させない程度に叩く動作であって、例えば人差し指でコツンと叩く程度の動作である。
【００３５】
ここで、押し込み式の復帰ボタンを押す行為については復帰させても良いかについて不安や怖さを感じてしまうユーザがいる。上記の復帰構成では、このようなユーザに対しては不安や怖さの軽減につなげることができる。なお、本実施形態に係る直管型ガスメータ１は、上記の復帰構成に加えて、押し込み式の復帰ボタンを備えるものであってもよい。また、表示制御部１０１は、メータボディ１０のどの辺りをノックすべきかを示す表示を行うことが好ましい。
【００３６】
さらに、本実施形態においてマイコン１００は、記憶部（記憶手段）１０３を備えている。記憶部１０３は、表示パネル２に表示可能な複数の情報を記憶するものである。具体的に記憶部１０３は、例えば個別積算値、圧力情報、及びメータ情報等を記憶している。個別積算値とは、流量区分別の流量積算値や、連続して使用されたガス流量の積算値や、指定時間帯における流量積算値などである。圧力情報は、現在の圧力値、調整圧力の最大値及び最小値、並びに、閉塞圧力などである。メータ情報は、直管型ガスメータ１の電池電圧の低下が判断されてから遮断されるまでの残日数、微少漏洩が検知されてからの経過日数、並びに遮断弁７の遮断事象に関する情報などである。遮断事象に関する情報は、どの機能によって遮断されたかの情報と、遮断したときの日時の情報とで構成されている。
【００３７】
さらに、本実施形態に係る表示制御部１０１は、記憶部１０３により記憶される複数の情報から表示する情報を選択して表示させると共に、上記情報の表示制御中において、加速度センサ９によりメータボディ１０に対するノックに相当する加速度が検出された場合、当該ノック方向に応じて次に表示する情報を選択する。
【００３８】
ここで、上記したように、記憶部１０３には多くの情報が記憶されている。従来は、押し込み式の復帰ボタンを操作して、表示する情報を選択しているが、操作性が決して良いとは言えなかった。このため、本実施形態では、ノック方向に応じて次に表示する情報を選択することで、ユーザにとって感覚的且つ多彩な情報の選択を行うようにしている。
【００３９】
加えて、弁制御部１０２は、加速度センサ９により不定周期の加速度が少なくとも３軸で検出された場合に、遮断弁７を閉動作させる。地震のときには、少なくとも３軸で不定周期の加速度が検出される。一方、直管型ガスメータ１に対して何らかの物体が当たった場合には、直管型ガスメータ１が振動して周期的に減衰する加速度が検出される。弁制御部１０２は、不定周期の加速度が検出された場合に地震の発生を検知して、遮断弁７を閉動作させる。これにより、加速度センサ９を利用した地震検知を行うことができ、感震器を不要とすることができる。なお、本実施形態に係る直管型ガスメータ１は、上記の構成に加えて、更に感震器を備えるものであってもよい。
【００４０】
次に、本実施形態に係る直管型ガスメータ１の動作を説明する。図３は、本実施形態に係る直管型ガスメータ１の処理内容を示す第１のフローチャートである。図３に示すように、マイコン１００は、まず加速度センサ９からの信号を入力する（Ｓ１）。次に、マイコン１００は、加速度センサ９の信号から重力方向を判断する（Ｓ２）。このとき、マイコン１００は、一定時間以上一定方向の加速度が検出されると、その方向を重力方向であると判断する。次いで、表示制御部１０１は、ステップＳ２にて検出された重力方向が、第１〜第４区分のいずれに属するかを判断する（Ｓ３）。
【００４１】
図４は、重力方向の区分を示す直管型ガスメータ１の正面図である。本実施形態では図４に示すように、直管型ガスメータ１を正面視した場合において、一端部１０ａを中心とする両側４５°の範囲を第１区分とし、他端部１０ｂを中心とする両側４５°の範囲を第２区分としている。さらに、直管型ガスメータ１を正面視した場合において、第１区分に対して時計周り方向に隣接し、第１区分と第２区分とに挟まれる範囲を第３区分とし、第３区分と対向する範囲を第４区分としている。表示制御部１０１は、重力方向が、このような第１〜第４区分のいずれに属するかを判断する。
【００４２】
再度、図３を参照する。区分判断後（Ｓ３の後）、表示制御部１０１は、ステップＳ３にて判断した区分に応じて表示パネル２に表示される表示情報の向きを制御する（Ｓ４）。すなわち、表示制御部１０１は、ステップＳ３において重力方向が第２区分であると判断された場合、図４に示すように、文字や数字等の表示情報ＤＤの下端が第２区分側に向くように、表示情報ＤＤの向きを制御する。他の区分においても同様に表示情報ＤＤの下端がステップＳ３にて判断された区分側に向くように表示情報ＤＤの向きが制御される。その後、図３に示す処理は終了する。なお、図３に示す処理は常時又は所定時間毎に繰り返し実行される。
【００４３】
図５は、本実施形態に係る直管型ガスメータ１の処理内容を示す第２のフローチャートである。また、マイコン１００は図５に示す処理も実行する。すなわち、マイコン１００は、ノック操作があったかを判断する（Ｓ１１）。このとき、マイコン１００は、例えば所定値以上且つ規定値未満の周期的な加速度が検出されたときに、ノック操作があったと判断する。
【００４４】
ノック操作があったと判断した場合（Ｓ１１：ＹＥＳ）、弁制御部１０２は、遮断弁７が弁閉状態であるかを判断する（Ｓ１２）。遮断弁７が弁閉状態であると判断した場合（Ｓ１２：ＹＥＳ）、弁制御部１０２は、所定の弁開操作があったと判断して、遮断弁７を弁開させる（Ｓ１３）。その後、図５に示す処理は終了する。
【００４５】
一方、遮断弁７が弁閉状態でないと判断した場合（Ｓ１２：ＮＯ）、表示制御部１０１は、情報の表示制御中であるかを判断する（Ｓ１４）。このとき、表示制御部１０１は、直管型ガスメータ１に対する操作（設定器等の他の機器を介した操作等を含む）によって、記憶部１０３に記憶される情報を表示する制御状態（後述の図６に示す情報Ｄ１〜Ｄ３のいずれかの情報Ｄ１１〜Ｄ１５，Ｄ２１〜Ｄ２４，Ｄ３１〜Ｄ３４が表示されている状態）に突入しているかを判断する。
【００４６】
情報の表示制御中でないと判断した場合（Ｓ１４：ＮＯ）、図５に示す処理は終了する。情報の表示制御中であると判断した場合（Ｓ１４：ＹＥＳ）、表示制御部１０１は、ステップＳ１１にて検出されたノック操作のノック方向を判断する（Ｓ１５）。表示制御部１０１は、例えばノック操作によって生じる最初の加速度方向に基づいてノック方向を判断する。すなわち、表示制御部１０１は、最初の加速度方向が第１〜第４区分のいずれに該当するかに基づいてノック方向を判断する。
【００４７】
次に、表示制御部１０１は、ステップＳ１６において判断されたノック方向に基づいて、表示する情報を選択し（Ｓ１６）、選択した情報を表示する（Ｓ１７）。その後、図５に示す処理は終了する。
【００４８】
ところで、ノック操作がなかったと判断した場合（Ｓ１１：ＮＯ）、弁制御部１０２は、不定周期の加速度が３軸で検出されたかを判断する（Ｓ１８）。検出されなかったと判断した場合（Ｓ１８：ＮＯ）、図５に示す処理は終了する。
【００４９】
一方、不定周期の加速度が３軸で検出されたと判断した場合（Ｓ１８：ＹＥＳ）、弁制御部１０２は、地震であると判断し、遮断弁７を弁閉させる（Ｓ１９）。その後、図５に示す処理は終了する。
【００５０】
図６は、図５に示したステップＳ１７における情報選択の様子を示す概念図である。まず、図６に示すように記憶部１０３には、個別積算値の情報Ｄ１、圧力情報Ｄ２、及びメータ情報Ｄ３が記憶されているものとする。また、個別積算値の情報Ｄ１は、流量区分別の流量積算値Ｄ１１〜Ｄ１３、連続して使用されたガス流量の積算値Ｄ１４や、指定時間帯における流量積算値Ｄ１５の情報から構成されているものとする。さらに、圧力情報Ｄ２は、現在の圧力値Ｄ２１、調整圧力の最大値Ｄ２２及び最小値Ｄ２３、並びに、閉塞圧力Ｄ２４の情報から構成されているものとする。加えて、メータ情報Ｄ３は、直管型ガスメータ１の電池電圧の低下が判断されてから遮断されるまでの残日数Ｄ３１、微少漏洩が検知されてからの経過日数Ｄ３２，Ｄ３３、並びに遮断弁７の遮断事象Ｄ３４の情報から構成されているものとする。
【００５１】
なお、図６では図示の都合上、各情報Ｄ１〜Ｄ３を、それぞれ４つ又は５つの情報Ｄ１１〜Ｄ１５，Ｄ２１〜Ｄ２４，Ｄ３１〜Ｄ３４で構成している例を示したが、各情報Ｄ１〜Ｄ３は６つ以上の情報にて構成されていてもよい。また、情報Ｄ１〜Ｄ３以外の情報を有していてもよい。
【００５２】
このような場合において、従来では押し込み式の復帰ボタンを長押しすることにより、個別積算値の情報Ｄ１、圧力情報Ｄ２、及びメータ情報Ｄ３を切り替えることができる。すなわち、個別積算値の情報Ｄ１のいずれかの情報Ｄ１１〜Ｄ１５の表示中に復帰ボタンが長押しされると、圧力情報Ｄ２の表示に切り替えられる。同様に、圧力情報Ｄ２のいずれかの情報Ｄ２１〜Ｄ２４の表示中に復帰ボタンが長押しされると、メータ情報Ｄ３の表示に切り替えられ、メータ情報Ｄ３のいずれかの情報Ｄ３１〜Ｄ３４の表示中に復帰ボタンが長押しされると、個別積算値の情報Ｄ１の表示に切り替えられる。
【００５３】
また、従来では押し込み式の復帰ボタンを短押しすることにより、各情報Ｄ１１〜Ｄ１５，Ｄ２１〜Ｄ２４，Ｄ３１〜Ｄ３４を切り替えることができる。例えば特大流量の流量積算値Ｄ１１の情報が表示されているときに復帰ボタンが短押しされると、大流量の流量積算値Ｄ１２の情報の表示に切り替えられる。以後、同様に、中流量の流量積算値Ｄ１３の情報、連続使用流量の積算値Ｄ１４の情報、指定時間帯における流量積算値Ｄ１５の情報の順に切り替えられ、指定時間帯における流量積算値Ｄ１５の情報が表示されているときに復帰ボタンが短押しされると、特大流量の流量積算値Ｄ１１の情報に戻る。圧力情報Ｄ２、及びメータ情報Ｄ３も同様である。
【００５４】
しかし、従来の押し込み式の復帰ボタンでは、上記のような一方通行型となる表示切替しかできず（符号Ａ１の切り替えのみで符号Ａ２の切り替えができず）、利便性に劣るものである。これに対して、本実施形態ではノック方向に基づいて表示する情報を選択するため、感覚的且つ多彩な情報の選択を行うことができる。
【００５５】
例えば、直管型ガスメータ１を正面視してメータボディ１０の右側からノック操作した場合、選択されている情報を従来の押し込み式の復帰ボタンと逆に切り替えることができる。すなわち、連続使用流量の積算値Ｄ１４の情報が表示されているときに、メータボディ１０の右側からノック操作した場合、符号Ａ２に示すように、中流量の流量積算値Ｄ１３の情報を選択させるように切り替えることができる。同様に、直管型ガスメータ１を正面視してメータボディ１０の下側からノック操作した場合においても選択されている情報を従来の押し込み式の復帰ボタンと逆に切り替えることができる。すなわち、圧力情報Ｄ２のいずれかの情報Ｄ２１〜Ｄ２４の表示中に下側からノック操作した場合、符号Ａ２に示すように、個別積算値の情報Ｄ１を選択させるように切り替えることができる。
【００５６】
さらに、直管型ガスメータ１を正面視してメータボディ１０の上側又は左側からノック操作した場合、符号Ａ１に示すように、従来の押し込み式の復帰ボタンの切り替えと同様の表示切替を行うことができる。
【００５７】
このような表示情報の選択によって、感覚的且つ多彩な情報の選択を行うことができるようにしている。
【００５８】
このようにして、本実施形態に係る直管型ガスメータ１によれば、重力方向に応じて表示パネル２に表示される表示情報の向きを制御するため、縦向きに設置されたり横向きに設置されたりしたとしても、表示情報の向きを制御でき、取り付け状態に応じて適切な表示を行うことができる。
【００５９】
また、遮断弁７の弁閉時に所定の操作があった場合に遮断弁７を開動作させる弁制御部１０２を備え、メータボディ１０に対するノックに相当する加速度が検出された場合、所定の操作があったと判断する。このため、従来と同様の遮断弁の復帰ボタン（押し込み式の復帰ボタン）を直管型ガスメータ１に設ける必要がない。特に、押し込み式の復帰ボタンを押す行為については復帰させても良いかについて不安や怖さを感じてしまうユーザがいるが、このようなユーザに対しては不安や怖さの軽減につなげることができる。また、直管型ガスメータ１は、１方向に延びる構成であることからコンパクトであり、押し込み式の復帰ボタンを設置するにはスペース上の問題があり大型化を招いてしまうが、押し込み式の復帰ボタンを設ける必要がなくなるため、直管型ガスメータ１に適した遮断弁７の復帰構成を提供することができる。
【００６０】
また、加速度センサ９は３軸方向に対する加速度を検出するものであって、加速度センサ９により不定周期の加速度が３軸で検出された場合に、遮断弁７を閉動作させるため、表示の適正化及び操作機能を実現するために設置される加速度センサ９を利用して、更に従来の感震器と同様の地震検知を行うことができる。
【００６１】
また、記憶される複数の情報から表示する情報を選択して表示させると共に、加速度センサ９によりメータボディ１０に対するノックに相当する加速度が検出された場合、当該ノック方向に応じて次に表示する情報を選択する。このため、押し込み式の復帰ボタンと比較してノック方向（例えば４方向）に応じたユーザにとって感覚的且つ多彩な情報の選択を行うことができる。
【００６２】
以上、実施形態に基づき本発明を説明したが、本発明は上記実施形態に限られるものではなく、本発明の趣旨を逸脱しない範囲で、変更を加えてもよいし、可能な範囲で適宜他の技術を組み合わせてもよい。
【００６３】
例えば、上記実施形態においてガス流路１３は、完全なストレート形状として破線にて図示したが、これに限らず、例えばガス流入口１１やガス流出口１２の直径の範囲内程度の屈曲及び湾曲を許容するものであり、この程度の屈曲及び湾曲を有していてもガスメータを直管型とすることに支障がないことから、このようなガス流路１３についてもストレート形状の概念に含むものとする。さらに、ソレノイド弁やモータ弁を設けるための屈曲についても許容するものである。
【００６４】
また、上記では重力方向が４つの区分のいずれに該当するかを判断し、これに応じて表示情報の向きを制御しているが、区分は４つに限らず、いくつでも良い。特に、区分数を３６０やこれを超えるものとし、直管型ガスメータ１が斜め方向に設置される場合においても、文字や数字の下端が重力方向となるようにしてもよい。
【００６５】
また、本実施形態において加速度センサ９は、３軸方向の加速度を検出するものであるが、加速度センサ９に基づいて地震検知を行わない場合には３軸は必要なく、２軸であってもよい。さらに、加速度センサ９に基づいて地震検知を行う場合には３軸に限らず、例えば６軸センサなど、４軸以上の加速度検出が可能であるものが用いられてもよい。
【符号の説明】
【００６６】
１      ：直管型ガスメータ
２      ：表示パネル（表示部）
５      ：流速センサ
６      ：圧力センサ
７      ：遮断弁
８      ：通信部
９      ：加速度センサ
１０    ：メータボディ
１０ａ  ：一端部
１０ｂ  ：他端部
１０ｃ  ：正面部
１１    ：ガス流入口
１２    ：ガス流出口
１３    ：ガス流路
１００  ：マイコン
１０１  ：表示制御部（表示制御手段）
１０２  ：弁制御部（弁制御手段）
１０３  ：記憶部（記憶手段）
【図１】
0006675900.tif 000002
【図２】
0006675900.tif 000003
【図３】
0006675900.tif 000004
【図４】
0006675900.tif 000005
【図５】
0006675900.tif 000006
【図６】
0006675900.tif 000007